(57)【要約】      （修正有）【課題】天井の軽量鋼構造体に取り付けるに適したファン構造体を提供する。【解決手段】最上部カバーシェル１１１の底部側面にファンモータ１１２とファン羽根１１３を設置する。天井にファン構造体を取り付けるために用いる水平取り付けフランジ１２１にアーチ形底部壁１２２と垂直接続フランジ１２３を設ける。該アーチ形底部壁１２２の中央部に円形状中心開口部と該開口部の周りに複数の換気口１２５を穿つ。さらに、該アーチ形底部壁１２２に、該ファン羽根１１３の回転中にゲート効果を引き起こすためフェンス１２６を設置する。ファンモータ１１２によりファン羽根１１３が回転し、空気は構造体の外部から換気口１２５を通過し、該フェンス１２６及び該円形状中心開口部に取り付けられたグリル１３を通って、構造体外部へ抜ける。【選択図】図４
0003145410.tif 000002
【実用新案登録請求の範囲】
【請求項１】
天井３の軽量鋼構造体２の１つのフレームサッシに取り付け可能なファン構造体１であって、
最上部カバーシェル１１１と、前記最上部カバーシェルの底部側面に取り付けられるファンモータ１１２と、前記ファンモータ出力軸へ連結され且つ空気の流れを発生させるために前記ファンモータによって回転可能なファン羽根１１３とを含むファンホルダー１１と、
下向きに滑らかに曲がっている滑らかなアーチ形底部壁１２２と、前記滑らかなアーチ形底部壁の周りに延在し且つ天井の軽量鋼構造体の１つのフレームサッシに取り付けられる水平取り付けフランジ１２１と、前記滑らかなアーチ形底部壁と前記水平取り付けフランジとの間の接続部から上向きに延在し且つ前記ファンホルダーの前記最上部カバーシェルに接続された垂直接続フランジ１２３と、前記ファン羽根に対応する中心において前記滑らかなアーチ形底部壁を通って切断された円形状中心開口部１２４と、前記円形状中心開口部の周りに前記滑らかなアーチ形底部壁を通って切断された複数の換気孔１２５と、前記円形状中心開口部の上に配設され且つ前記ファン羽根を取り囲み、前記ファンホルダーの前記最上部カバーシェルで前記ファン羽根の回転中にゲート効果を引き起こすための空間を規定する最上部縁部を有するフェンス１２６とを含む底部カバーフレーム１２と、
前記ファン羽根により発生される空気の流れの出力のために前記底部カバーフレームの前記円形状中心開口部に取り付けられるグリル１３と、
を含み、
空気の流れを発生させるために前記ファン羽根が前記ファンモータによって回転されるときに、前記空気の流れはファン構造体１の外部から前記フェンスにわたって前記換気孔を通って前記底部カバーフレームの内部へ動く、そして次いで前記グリル内の開放空間を通ってファン構造体１の外部へ向けて動く、ファン構造体。
【請求項２】
前記フェンスが、前記滑らかなアーチ形底部壁から上向きに突き出し、そして前記円形状中心開口部の周りに延在する、請求項１に記載のファン構造体。
【請求項３】
前記換気孔が、前記滑らかなアーチ形底部壁１２２の４つの隅部および前記４つの隅部の各２つの隅部間の４つの側面の各々における中間点においてそれぞれ配設される、請求項１に記載のファン構造体。
【請求項４】
前記ファンホルダーの前記最上部カバーシェルが、開口部と、前記ファンホルダーの前記最上部カバー シェルの開口部を空気調和システムへ接続して、調整された空気を前記空気調和システムからファン構造体へ案内するためのファンダクト４と、を有する、請求項１に記載のファン構造体。
【請求項５】
前記ファンホルダーの前記最上部カバーシェルの開口部が、前記ファンホルダーの前記最上部カバーシェルの中心上に位置し、そして前記ファンホルダーの前記最上部カバーシェルが、前記ファンダクトの取り付けのためにその開口部の周りに延在する取り付けフランジを備える、請求項４に記載のファン構造体。
【請求項６】
前記ファンホルダーの前記最上部カバーシェルの開口部が、前記ファンホルダーの前記最上部カバーシェルの中心上に位置し、そして前記ファンダクトの接続のためにそこへ取り付けられたファンダクトコネクター１５を有する、請求項４に記載のファン構造体。
【請求項７】
前記底部カバーフレームに取り付けられる同期モータと、前記同期モータの出力軸に取り付け前記グリルを固定し前記同期モータにより前記底部カバーフレームの前記円形状中心開口部において前記グリルの回転を可能にするグリルコネクター１３１とをさらに備える、請求項４に記載のファン構造体。
【請求項８】
前記底部カバーフレームが、前記円形状中心開口部に懸垂し、その底部側部において前記同期モータを支持する支持構造体１２８を備える、請求項７に記載のファン構造体。
【請求項９】
前記ファンモータが、前記支持構造体の最上部側面の中心に取り付けられる、請求項８に記載のファン構造体。
【請求項１０】
前記グリルの底部側面に締結され前記グリルと前記グリルコネクターとの間の接続部を塞ぐキャップ１３２をさらに備える、請求項７に記載のファン構造体。
【請求項１１】
前記フェンスの外側で前記底部カバーフレームに取り付けられ且つファン制御回路を受容するためのカバーで覆われた電気ボックス１２６ａをさらに備える、請求項４に記載のファン構造体。
【考案の詳細な説明】
【技術分野】
【０００１】
本考案は、ファン構造体、およびより具体的には天井の軽量鋼構造体に取り付けるのに適したこのようなファン構造体に関する。
【背景技術】
【０００２】
軽量鋼構造体は、天井パネルまたは照明器具の取り付け用のフレームサッシを設けるために建物の部屋内部の天井に据え付けられてよい。さらに、ファン構造体が、空気の流れを発生させるために天井内の軽量鋼構造体の１つのフレームサッシに据え付けられてよい。
【０００３】
軽量鋼構造体に取り付け可能な多数のファン構造体設計が開示されていてかつ市場に出てきている。「軽量鋼構造体に取り付けるための改良型ファン構造体(IMPROVED FAN STRUCTURE FOR MOUNTING IN A LIGHT STEEL STRUCTURE)」と題する台湾特許Ｍ第２５１９３９号および「軽量鋼構造体に取り付けるための改良型ファン構造体(IMPROVED FAN STRUCTURE FOR MOUNTING IN A LIGHT STEEL STRUCTURE)」と題する同Ｍ第３２２４７５号に代表例が見られる。これらの２つの従来技術設計は、天井より上の空間から屋内空間内へ埃の吸い込みを防止するために最上部側面に配設される密閉ベース部を一般に有する。しかしながら、これらの２つの従来技術設計は、天井の平面の美的感覚を妨害する天井の高さより下につり下がる底部カバーを一般に有する。これらの２つの従来技術設計によれば、底部カバーの周辺周りの間隙から外部空気がファン構造体内へ進入する。 したがって、ファン羽根は十分な空気をファン構造体内へ吸い込むことができるようにある一定の距離において天井の高さより下に配設されなければならない。美的感覚の問題とは別に、この据付設計は騒音を生じさせる。ファン羽根と天井との間の高さ距離を短くする場合には、吸い込み空気の量は大幅に減少され、ファン構造体の性能を低下させる。
【特許文献１】台湾特許Ｍ第２５１９３９号
【特許文献２】台湾特許Ｍ第３２２４７５号
【０００４】
したがって、前述の欠点を解消するファン構造体を提供することが望ましい。
【考案の開示】
【考案が解決しようとする課題】
【０００５】
本考案は、前述の欠点を解消する天井の軽量鋼構造体に取り付けるのに適したファン構造体提供することを課題とする。
【課題を解決するための手段】
【０００６】
本考案によれば、ファン構造体はファンホルダーと、底部カバーフレームと、グリルとを備える。このファンホルダーは、最上部カバーシェルと、最上部カバーシェルの底部側面に取り付けられるファンモータと、ファンモータの出力軸に連結され且つ空気の流れを発生させるようにファンモータにより回転可能なファン羽根とを備える。この底部カバーフレームは、下向きに滑らかに曲がっている滑らかなアーチ形底部壁と、滑らかなアーチ形底部壁の周りに延在し且つ天井の軽量鋼構造体の１つのフレームサッシに取り付け可能である水平取り付けフランジと、滑らかなアーチ形底部壁と水平取り付けフランジとの間の接続部から上向きに延在し且つファンホルダーの最上部カバーシェルに接続された垂直接続フランジと、ファン羽根に対応する中心における滑らかなアーチ形底部壁を通って切断された円形状中心開口部と、円形状中心開口部の周りに滑らかなアーチ形底部壁を通って切断された複数の換気孔と、円形状中心開口部の上部に配設され且つファン羽根を取り囲むフェンスとを備える。このフェンスは、ファンホルダーの最上部カバーシェルでファン羽根の回転中にゲート効果を引き起こすための空間を規定する最上部縁部を有する。グリルは、ファン羽根により引き起こされる空気の流れの出力のために底部カバーフレームの円形状中心開口部に取り付けられる。このファン羽根がファンモータによって回転され空気の流れを発生させるときに、空気の流れは、ファン構造体の外部から底部カバーフレームの内部へ換気孔を通ってフェンスの外側を進み、そして次いでグリル内の開放空間を通ってファン構造体の外部へ向かって進む。
【考案の効果】
【０００７】
天井の軽量鋼構造体にファン構造体を据え付け後、滑らかなアーチ形底部壁のみが天井の底部側面から僅かに突き出る。したがって、天井の軽量鋼構造体におけるファン構造体の据え付けは天井の美的感覚を妨げない。さらに、フェンスの設計はファン構造体が空気の流れを効率的に発生可能にさせる。さらに、ファン構造体の密閉された構造設計は、ファン構造体の作動中に天井より上の空間から屋内空間への埃の吸い込みを防止する。
【０００８】
さらに、屋内空間へ送るために空気調和システムからファン構造体の内部まで調整された低温または高温空気を誘導するためにファンダクトが使用され且つ空気調和システムに接続されてよい。
【考案を実施するための最良の形態】
【０００９】
図５を参照すると、天井３の軽量鋼構造体２の１つのフレームサッシに取り付けられたファン構造体１が示される。図１〜３に示される、本考案の第１の実施形態に従ったこのファン構造体１は、ファンホルダー１１と、底部カバーフレーム１２と、グリル１３とからなる。
【００１０】
このファンホルダー１１は、最上部カバーシェル１１１と、最上部カバーシェル１１１の底部側面に取り付けられるファンモータ１１２と、ファンモータ１１２の出力軸に連結され且つ空気の流れを発生させるためにファンモータ１１２により回転可能であるファン羽根１１３とを備える。
【００１１】
この底部カバーフレーム１２は、下向きに滑らかに曲がっている滑らかなアーチ形底部壁１２２と、滑らかなアーチ形底部壁１２２の周りに延在して天井３の軽量鋼構造体２の１つのフレームサッシにファン構造体１を据え付けるのを容易にする水平取り付けフランジ１２１と、滑らかなアーチ形底部壁１２２とファンホルダー１１に接続するための水平取り付けフランジ１２１との間の接続部から上向きに延在する垂直接続フランジ１２３と、ファン羽根１１３に対応する中心１０ において底部壁１２２を通って切断された円形状中心開口部１２４と、円形状中心開口部１２４の周りで滑らかなアーチ形底部壁１２２を通って切断された複数の換気孔１２５とを備える。この換気孔１２５は、滑らかなアーチ形底部壁１２２の４つの隅部且つ２つの隅部間の４つの側面の各々の中間点に形成される。このグリル１３は、円形状中心開口部１２４に取り付けられ、ファン羽根１１３により生じる空気の流れの出力のために縦方向および横方向に整列された開放空間を有する。
【００１２】
さらに、フェンス１２６が、開口部１２４の円形状中心２０の周りで滑らかなアーチ形底部壁１２２の最上部側面において提供される。このフェンス１２６は、空間Ｓがファンホルダー１１とフェンス１２６の最も高い縁部との間に規定されゲート効果をもたらすような方法でファン羽根１１３を取り囲む（図４参照）。
【００１３】
図４を参照すると、ファンモータ１１２が電気的に接続されてファン羽根１１３を回転させるとき、空気の流れ（図中の流線を参照）が発生されて底部カバーフレーム１２の外部から内部へ換気孔１２５を通ってフェンス１２６の外側を進み、そして次いでグリル１３内の開放空間を通って底部カバーフレーム１２の外部へ向けて進む。
【００１４】
底部カバーフレーム１２の設計により、ファン羽根１１３が天井３より高いところにおいて保持されることが可能になることが理解されるべきである。据付後に、図５に示すように、滑らかなアーチ形底部壁１２２のみが天井３の底部側面の外に僅かに突き出る。したがって、天井３の軽量鋼構造体２内のファン構造体１の据付は、天井３の美的感覚を妨げない。さらに、フェンス１２６の設計は、ファン構造体１が空気の流れを効率的に起こさせることを可能にする。
【００１５】
この実施形態によれば、フェンス１２６が円形状中心開口部１２４の周りで滑らかなアーチ形底部壁１２２から直接上向きに延在する。
【００１６】
明らかに、本考案の前述の第１の実施形態は、以下の利点を持っている。
１）滑らかなアーチ形底部壁１２２は、水平取り付けフランジ１２１の内側側面に沿って滑らかに下向きに曲がる。天井３の軽量鋼構造体２の１つのフレームサッシ内にファン構造体１を据え付け後、ファン構造体１の小部分のみが天井３の底部側面の外に突き出る。したがって、天井３内でのファン構造体１の据付は、天井ファン３の美的感覚を妨げない。
２）滑らかなアーチ形底部壁１２２の換気孔１２５は、埃の蓄積を避ける、貫通孔である。
３）ファンホルダー１１および底部カバーフレーム１２は、天井３の軽量鋼構造体２の上に密閉構造体を形成し、ファン羽根１１３の回転中に天井３の上の空間からファン構造体１の内部へ埃の吸い込みを回避し、そして空気の清浄な流れの出力を保証する。
４）ファン構造体の据付は容易である。
【００１７】
さらに、ファン構造体１は、図９に示されるように、調整された低温または高温空気を空気調和システムから屋内空間へ誘導するために、建物の空気調和システムへ接続のためにファンダクト４と接続されてよい。
【００１８】
図６〜８は、本考案の第２の実施形態に従ったファン構造体を示す。この第２の実施形態に係わるこのファン構造体１は、ファンホルダー１１の最上部カバーシェル１１１が中心において開口部１１４を有し且つ取り付けフランジ１１４ａが最上部カバーシェル１１１の最上部側面から突き出て、そしてファンダクト４の接続のために開口部１１４の周りに延在することを除いて前述の第１の実施形態と実質的に類似している。
【００１９】
図８を参照すると、この第２の実施形態に係わるファン構造体１のファンモータ１１２が、電気的に接続されてファン羽根１１３を回転させると、空気の流れ (図面の中の流線を参照)が発生されて底部カバーフレーム１２の外部から内部へ滑らかなアーチ形底部壁１２２の換気孔１２５を通ってフェンス１２６の外を進み、そして次いでグリル１３内の開放空間を通って底部カバーフレーム１２の外部へ向けて進む。同時に、調整された低温空気または高温空気が、ファンダクト４から連続的に送られ、そしてファン羽根１１３によって引き起こされる空気の流れと共にグリル１３を通って屋内空間へ向けて移動される。
【００２０】
図１０は、本考案の第３の実施形態に従ったファン構造体を示す。この第３の実施形態は、この第３の実施形態のファンホルダー１１の最上部カバー シェル１１１が前述の取り付けフランジ１１４ａを排除し且つファンダクト４の接続のために開口部１１４に締結されるファンダクトコネクター１５を有することを除いて前述の第２の実施形態と実質的に類似している。
【００２１】
図１１は、本考案の第４の実施形態に従ったファン構造体を示す。 この第４の実施形態によれば、底部カバーフレーム１２は、最上部側面においてファンモータ１１２および底部側面において同期モータ１２７を支持するように円形状中心開口部１２４につり下がっている支持構造体１２８を有する。この同期モータ１２７は、その出力軸に取り付けられたグリルコネクター１３１を有する。キャップ１３２は、グリル１３をグリルコネクター１３１に固定し且つグリル１３とグリルコネクター１３１との間の接続部を塞ぐように同期モータ１２７の出力軸に取り付けられ、同期モータ１２７の出力軸でグリル１３の回転を可能にする。さらに、電気ボックス１２６ａは、フェンス１２６の外部で底部カバーフレーム１２に取り付けられ、そしてファン制御回路盤(図示せず)を収納するためにカバー１２９で覆われている。
【００２２】
本考案の特定の実施形態が、例示の目的で記載されてきたが、本考案の精神および範囲から逸脱しない範囲で様々な変更修正および改良がなされてよい。 それ故に、本考案は添付の請求項によるものを除いて限定されない。
【図面の簡単な説明】
【００２３】
【図１】本考案の第１の実施形態に従ったファン構造体の斜め下から見た正面図である。
【図２】本考案の第１の実施形態に従ったファン構造体の分解図である。
【図３】本考案の第１の実施形態に従ったファン構造体の切欠図である。
【図４】ファン構造体の作動中における空気の流路を示す、本考案の第１の実施形態の概略断面図である。
【図５】天井の軽量鋼構造体に据え付けられたファン構造体を示す、本考案の第１の実施形態の適用図である。
【図６】本考案の第２の実施形態に従ったファン構造体の分解図である。
【図７】本考案の第２の実施形態に従ったファン構造体の切欠図である。
【図８】ファン構造体の作動中の空気の流路を示す、本考案の第２の実施形態の概略断面図である。
【図９】天井の軽量鋼構造体に据え付けられたファン構造体を示す、本考案の第２の実施形態の適用図である。
【図１０】本考案の第３の実施形態に従ったファン構造体の分解図である。
【図１１】本考案の第４の実施形態に従ったファン構造体の分解図である。
【符号の説明】
【００２４】
１：ファン構造体
１０：中心
１１：ファンホルダー
１１１：最上部カバーシェル
１１２：ファンモータ
１１３：ファン羽根
１１４：開口部
１１４ａ：フランジ
１２：底部カバーフレーム
１２１：水平取り付けフランジ
１２２：アーチ形底部壁
１２３：垂直接続フランジ
１２４：円形状中心開口部
１２５：換気孔
１２６：フェンス
１２６ａ：電気ボックス
１２７：同期モータ
１２８：支持構造体
１２９：カバー
１３：グリル
１３１：グリルコネクター
１３２：キャップ
１５：ファンダクトコネクター
２：軽量鋼構造体
２０：円形状中心
３：天井
４：ファンダクト
【図１】
0003145410.tif 000003
【図２】
0003145410.tif 000004
【図３】
0003145410.tif 000005
【図４】
0003145410.tif 000006
【図５】
0003145410.tif 000007
【図６】
0003145410.tif 000008
【図７】
0003145410.tif 000009
【図８】
0003145410.tif 000010
【図９】
0003145410.tif 000011
【図１０】
0003145410.tif 000012
【図１１】
0003145410.tif 000013